(57)【要約】    【課題】      動画像の編集操作を容易に行えるようにすること。    【解決手段】  動画処理ＬＳＩ１０１により複数同時デコード（マルチデコード）や複数同時エンコード、同時デコード・エンコードの機能を持ち、複数の動画像をディスプレイ（表示部）１０２に表示し、それぞれの画像を個別・同時に操作しながら直感的に編集するユーザーインターフェイスを提供する。これにより、動画像に対し静止画をフレーム合成させたり、動画像から静止画にスライドで切り替わるシーンを作成したり、静止画と動画像をアルファブレンドで透かしながら合成したりするリアルタイムな編集が直感的かつ容易に可能になる。  【選択図】      図１
2006140564.tif 000002
【特許請求の範囲】
【請求項１】
複数同時デコード（マルチデコード）や複数同時エンコード、同時デコード・エンコードの機能を有し、表示画面に複数の画像を同時に表示できる画像表示部をそれぞれ設定し、それぞれの画像表示部での再生制御操作を個別に行う操作キーをそれぞれ割り当てて管理する画像処理手段、を具備することを特徴とする携帯情報端末装置。
【請求項２】
前記画像処理手段は、同一動画を始点選択用と終点選択用とに分けて管理し、表示画面に前記始点選択用動画の画像表示部と前記終点選択用動画の画像表示部とをそれぞれ設定し、両表示部での同時並行的な再生制御操作を可能にする手段、を具備することを特徴とする請求項１記載の携帯情報端末装置。
【請求項３】
前記画像処理手段は、表示画面に、同一動画に対して編集を行う編集元画像の画像表示部と編集後の出力プレビューの画像表示部とをそれぞれ設定し、両表示部での同時並行的な再生制御操作を可能にする手段、を具備することを特徴とする請求項１記載の携帯情報端末装置。
【請求項４】
前記画像処理手段は、表示画面に、複数の映像に対して編集を行う元動画像の画像表示部とそれに合成する静止画像の画像表示部とをそれぞれ設定し、両表示部での同時並行的な再生制御操作を可能にする手段、を具備することを特徴とする請求項１記載の携帯情報端末装置。
【請求項５】
前記画像処理手段は、表示画面に、複数の映像に対して編集を行う元静止画像の画像表示部とそれに合成する動画像の画像表示部とをそれぞれ設定し、両表示部での同時並行的な再生制御操作を可能にする手段、を具備することを特徴とする請求項１記載の携帯情報端末装置。
【請求項６】
前記画像処理手段は、表示画面に、複数の動画に対して編集を行う動画をそれぞれ表示する画像表示部をそれぞれ設定し、各表示部での同時並行的な再生制御操作を可能にする手段、を具備することを特徴とする請求項１記載の携帯情報端末装置。
【請求項７】
前記画像処理手段は、表示画面に、１以上の動画を個別に表示する画像表示部と、カメラのプレビュー画像の表示部とをそれぞれ設定し、各表示部での同時並行的な再生制御操作を可能にする手段、を具備することを特徴とする請求項１記載の携帯情報端末装置。
【請求項８】
前記画像処理手段は、表示画面に、編集リスト一覧として個別に選択操作可能な編集効果アイテム群を表示し、割り当てた選択操作キーに応じて編集処理を行う手段、を具備することを特徴とする請求項１記載の携帯端末装置。
【請求項９】
前記画像処理手段は、再生制御操作時に行われた所定のキー操作に応答して動画編集を行う手段、を具備することを特徴とする請求項８記載の携帯情報端末装置。
【請求項１０】
前記画像処理手段は、編集処理を行わず編集方法や編集位置・時間などの編集設定情報をテキストなどの形式で外部に出力する手段、を具備することを特徴とする請求項１から請求９のいずれかに記載の携帯情報端末装置。
【請求項１１】
前記画像処理手段は、当該携帯端末装置の使用時では編集状態を記憶手段に保持し、当該携帯端末装置の不使用時や電波の届かない場所に居るなどのアイドル時間帯において編集処理を実行する手段、および電源低下時には編集状態を保持しておき他のタスクを優先させ、電源状態を有効に活用する手段、を具備することを特徴とする請求項１から請求９のいずれかに記載の携帯情報端末装置。
【発明の詳細な説明】
【技術分野】
【０００１】
本発明は、外部から取得した画像の編集機能を有する携帯情報端末装置に関する。
【背景技術】
【０００２】
現在では、携帯情報端末装置にカメラなどが付属し、静止画や動画を扱えるようになっている。
【０００３】
特に動画像においては、近年携帯端末でも安価でかつ高性能な動画像処理チップの実現により、動画撮影、テレビ電話、動画メール、外部サーバーからのストリーミング動画再生、外部メモリに保存された動画の再生など、携帯情報端末装置で動画を扱う機会が増えている。
【０００４】
今後は、通信速度の向上により、静止画だけでなく動画によるコミュニケーションがますます増えるであろう。
【０００５】
しかし、このように静止画、動画を扱う状況においても、携帯情報端末装置の利用者のほとんどは、記録した静止画・動画を装置内および外部メモリに映像に保存しておくだけであり、加工して整理して保存しておく例は極めて少ない。この理由として、編集操作の煩雑さが挙げられる。近年、静止画だけでなく動画に対しても携帯情報端末装置内部で編集する機能があるが、操作が扱いにくくあまり利用されていないのが実情である。したがって貴重な情報を効率よく保存し活用することが出来ていない。
【０００６】
この問題を解決する動画像の編集方法として、例えば、特許文献１では、人物検出用ウインドウと人物検出結果ウインドウを常に表示させる。さらに、一方のウインドウでの処理を、他方のウインドウにほぼ同時に反映させる。そしてさらに、編集用ウインドウのＭ−アイコンにも反映させるようにした動画像編集方法が開示されている。これによれば、複数の画面やランダムアクセス手法により従来に比べて便利なノンリニア編集が可能になる。また、動画を時系列に一枚一枚静止画のサムネイル表示できるなど視覚操作的にも向上する。
【０００７】
また、携帯情報端末装置を使用した動画編集方法として、例えば、特許文献２では、携帯情報端末装置で撮影した動画を専用のサーバーにネットワーク経由で送り、サーバーで動画編集を行い、携帯情報端末装置が編集後の動画を受信する方法などが提案されている。
【特許文献１】特開２０００−３１２３１０号公報
【特許文献２】特開２００２−３１４９３３号公報
【発明の開示】
【発明が解決しようとする課題】
【０００８】
しかし、特許文献１に記載の技術による動画像の編集方法は、業務用や一部のユーザー向けであり、汎用性に乏しい。即ち、パーソナルコンピュータなどの消費電力を気にしない高性能なハードウェアエンジンや広いディスプレイや豊富なユーザーインターフェイスを搭載している機器が揃ってはじめて実現が可能になるものである。これでは、動画処理専用のＬＳＩを搭載した携帯情報端末装置でもディスプレイやキー操作などに限界のある携帯情報端末装置では本格的な動画編集操作が行えない。むしろ利用者にとって負担のない編集方法や利用者のつぼを押さえた直感的な編集方法の提案が求められる。
【０００９】
また、特許文献２に記載の技術では、近年、通信速度が向上してコストも下がったとはいえ、ネットワークを経由して編集前の動画像を送るには無駄が多いだけでなく、編集後の動画の受信は電波状況によっては行えない場合があるなどの問題がある。
【００１０】
本発明は、かかる点に鑑みてなされたものであり、搭載する動画処理ＬＳＩの性能を最大限に活用して画像（特に動画像）の編集操作が容易に行えるようにした携帯情報端末装置を提供することを目的とする。
【課題を解決するための手段】
【００１１】
かかる課題を解決するため、本発明に係る携帯情報端末装置は、複数同時デコード（マルチデコード）や複数同時エンコード、同時デコード・エンコードの機能を有し、表示画面に複数の画像を同時に表示できる画像表示部をそれぞれ設定し、それぞれの画像表示部での再生制御操作を個別に行う操作キーをそれぞれ割り当てて管理する画像処理手段を具備する構成を採る。
【００１２】
この構成によれば、搭載する画像処理手段の性能を最大限に活用して動画像の編集操作が容易に行えるようになる。
【００１３】
本発明に係る携帯情報端末装置は、上記の発明において、前記画像処理手段は、同一動画を始点選択用と終点選択用とに分けて管理し、表示画面に前記始点選択用動画の画像表示部と前記終点選択用動画の画像表示部とをそれぞれ設定し、両表示部での同時並行的な再生制御操作を可能にする手段を具備する構成を採る。
【００１４】
この構成によれば、直感的な編集操作が行えるようになる。
【００１５】
本発明に係る携帯情報端末装置は、上記の発明において、前記画像処理手段は、表示画面に、同一動画に対して編集を行う編集元画像の画像表示部と編集後の出力プレビューの画像表示部とをそれぞれ設定し、両表示部での同時並行的な再生制御操作を可能にする手段を具備する構成を採る。
【００１６】
この構成によれば、編集に対する効果を容易に確認、比較できるようになる。
【００１７】
本発明に係る携帯情報端末装置は、上記の発明において、前記画像処理手段は、表示画面に、複数の映像に対して編集を行う元動画像の画像表示部とそれに合成する静止画像の画像表示部とをそれぞれ設定し、両表示部での同時並行的な再生制御操作を可能にする手段を具備する構成を採る。
【００１８】
この構成によれば、リアルタイムの編集が可能になる。
【００１９】
本発明に係る携帯情報端末装置は、上記の発明において、前記画像処理手段は、表示画面に、複数の映像に対して編集を行う元静止画像の画像表示部とそれに合成する動画像の画像表示部とをそれぞれ設定し、両表示部での同時並行的な再生制御操作を可能にする手段を具備する構成を採る。
【００２０】
この構成によれば、リアルタイムの編集が可能になる。
【００２１】
本発明に係る携帯情報端末装置は、上記の発明において、前記画像処理手段は、表示画面に、複数の動画に対して編集を行う動画をそれぞれ表示する画像表示部をそれぞれ設定し各表示部での同時並行的な再生制御操作を可能にする手段を具備する構成を採る。
【００２２】
この構成によれば、リアルタイムの編集が可能になる。
【００２３】
本発明に係る携帯情報端末装置は、上記の発明において、前記画像処理手段は、表示画面に、１以上の動画を個別に表示する画像表示部と、カメラのプレビュー画像の表示部とをそれぞれ設定し、各表示部での同時並行的な再生制御操作を可能にする手段を具備する構成を採る。
【００２４】
この構成によれば、好みに合わせた撮影ができるようになる。
【００２５】
本発明に係る携帯情報端末装置は、上記の発明において、前記画像処理手段は、表示画面に、編集リスト一覧として個別に選択操作可能な編集効果アイテム群を表示し、割り当てた選択操作キーに応じて編集処理を行う手段を具備する構成を採る。
【００２６】
この構成によれば、複数の動画像に対して好みの効果とシナリオが選択できるので、自動的に編集動作が行えるようになる。
【００２７】
本発明に係る携帯情報端末装置は、上記の発明において、前記画像処理手段は、再生制御操作時に行われた所定のキー操作に応答して動画編集を行う手段を具備する構成を採る。
【００２８】
この構成によれば、複数の動画像を表示して再生しながら、キーの長押し操作やスクロール操作など所定のキー操作を行うことでリアルタイムに特殊効果をかけて編集し、記録することが可能になる。
【００２９】
本発明に係る携帯情報端末装置は、上記の発明において、前記画像処理手段は、編集処理を行わず編集方法や編集位置・時間などの編集設定情報をテキストなどの形式で外部に出力する手段を具備する構成を採る。
【００３０】
この構成によれば、その場では編集せずに編集状態をテキストなどの形式で外部メモリ装置に保存し、メール送信するなどで外部の専用機器に出力し、その外部の専用機器を用いた編集が行えるようになる。
【００３１】
本発明に係る携帯情報端末装置は、上記の発明において、前記画像処理手段は、当該携帯情報端末装置の使用時では編集状態を記憶手段に保持し、当該携帯情報端末装置の不使用時や電波の届かない場所に居るなどのアイドル時間帯において編集処理を実行する手段および電源低下時には編集状態を保持しておき他のタスクを優先させ、電源状態を有効に活用する手段、を具備する構成を採る。
【００３２】
この構成によれば、ＣＰＵや電源のリソースを有効に活用することができる。
【発明の効果】
【００３３】
本発明によれば、本発明は、搭載する動画処理ＬＳＩの性能を最大限に活用し、直感的な操作方法で編集操作が行えるようにすることで、画像（特に動画像）の編集操作を容易に行うことができる。
【発明を実施するための最良の形態】
【００３４】
本発明の骨子は、搭載する動画処理ＬＳＩの複数同時デコード（マルチデコード）や複数同時エンコード、同時デコード・エンコードの機能を最大限に活用して複数の動画像を表示画面に表示し、個別に処理可能とすることにより編集操作の容易化を図り、動画編集機能の利便性を向上させることである。
【００３５】
以下、本発明の実施の形態について図面を参照して詳細に説明する。
【００３６】
（実施の形態１）
図１は、本発明の一実施の形態に係る携帯情報端末装置の構成を示すブロック図である。図１に示す携帯情報端末装置は、動画処理ＬＳＩ１０１、ディスプレイ１０２、カメラ１０３、ＣＰＵ１０４、メモリ１０５、入力ファイル（ＦＩＬＥ１）１０６、入力ファイル（ＦＩＬＥ２）１０７、出力ファイル（ＦＩＬＥ３）１０８を備えている。
【００３７】
動画処理ＬＳＩ１０１は、携帯情報端末装置での動画処理に特化したＬＳＩであって、複数同時デコード（マルチデコード）や複数同時エンコード、同時デコード・エンコードの機能を有し、複数の動画像を携帯端末の表示画面に表示し、次のような処理を行い、編集機能が容易に操作できるようになっている。
【００３８】
即ち、動画処理ＬＳＩ１０１は、編集設定時に、ＣＰＵ１０４を介して編集対象となる入力ファイル１０６と入力ファイル１０７などから複数の異なる動画、もしくは同一動画の複製を取り込みデコードしてディスプレイ１０２に表示する。
【００３９】
動画処理ＬＳＩ１０１は、編集プレビューをＣＰＵ１０４及びメモリ１０５によって実現し、ディスプレイ１０２に描画する。編集効果のリストは、動画処理ＬＳＩ１０１がＣＰＵ１０４を介してメモリ１０５に格納する。
【００４０】
そして、動画処理ＬＳＩ１０１は、編集プレビューに対する保存の際にリストに従って画像処理を行い、それをエンコードし、ＣＰＵ１０４を介して出力ファイル１０８に記録する。
【００４１】
また、カメラ１０３が動作している場合は、動画処理ＬＳＩ１０１は、カメラ１０３のプレビューを入力ファイル１０６にある既存のデコード動画と画像処理し、エンコードして出力ファイル１０８に記録する。また、ディスプレイは単数でも複数でも構わない。また、入力ファイルと出力ファイルの数に制限はない。また、カメラ１０３はなくても構わない。
【００４２】
図２は、複数の画像を携帯情報端末装置の表示画面に表示することにより編集操作の容易化を図る操作イメージを示す外観図である。図２に示すように、携帯情報端末装置のディスプレイに複数の画像表示部を設け、それぞれの表示部での画像（動画像、静止画像、カメラプレビュー画像）の再生（通常再生、早送り、一時停止、コマ送り、コマ戻しなど）操作をキーに割り当てて実現できるようになっている。
【００４３】
図２では、ディスプレイに、画像表示部２０１、２０２と、画像編集リスト一覧を表示する編集内容表示部２０３とが表示されている。そして、画像表示部２０１に対する操作キーには受話キー２０４が割り当てられ、画像表示部２０２に対する操作キーには電源キー２０５が割り当てられ、それぞれ独立に再生制御の操作ができる。また、編集内容表示部２０３に対する操作キーにはシフトキー２０６が割り当てられ、独立に編集リスト選択の操作ができる形態であることが示されている。
【００４４】
次に、図３と図４を参照して、同一動画に対する編集操作方法について説明する。なお図３は、従来の動画編集操作方法を説明する図である。図４は、本実施の形態による動画編集操作方法を説明する図である。
【００４５】
図３において、従来では、ディスプレイに、始点と終点を兼ねる一つの画像表示部３０１と画像の編集機能を選択する編集効果メニュー３０２とを表示し、画像表示部３０１での再生制御に主に割り当てられたキー３０３を操作して画像表示部３０１に表示される動画像に対する再生動作を行って動画の内容を把握し、編集効果メニュー３０２から編集開始地点を決定する。そして、同じ画像表示部３０１に対してキー３０３を操作して再生動作を行い編集効果メニュー３０２から終点を決定するようにしていた。
【００４６】
そのため、従来では、特に長時間のコンテンツの場合に内容把握が出来ずに不必要なシーンを編集してしまうことがあった。また、終点近くに良いシーンがあっても始点設定時間と離れすぎるために希望する編集後の動画像サイズ・時間がオーバーし始点再選択を余儀なくされることが起こり、編集開始点・終点の決定後に再び編集箇所を修正する際に、もう一度最初からコンテンツを再生して決定し直す必要が起こるなど、操作が煩雑であった。
【００４７】
そこで、本実施の形態では、例えば図４に示すように、ディスプレイに、始点選択用画像を表示する画像表示部４０１と終点選択用画像を表示する画像表示部４０２とを設け、同一動画を双方に表示し、つまり、同一動画を複数表示し、また、編集効果アイテム群である動画編集リスト４０３をアイコンなどで視覚的に表示する。そして、操作キー４０４を画像表示部（始点選択用動画）４０１の再生制御を主に行うキーとして割り当て、操作キー４０５を動画編集リスト４０３の選択操作を行うキーとして割り当て、操作キー４０６を画像表示部（終点選択用動画）４０２の再生制御を主に行うキーとして割り当てるようにした。
【００４８】
これによれば、それぞれ個別のキー操作によって、再生動作（通常再生、一時停止、早送り、コマ送り、コマ戻しなど）を行って編集箇所を指定し、絵を見ただけで容易に編集内容が理解できる動画編集リスト４０３の編集アイテムアイコンを選択して編集を行うことができる。
【００４９】
これは、動画処理ＬＳＩ１０１の複数同時デコード機能を生かしたもので、表示画面上に同一動画像を複数表示し、それぞれをカットや特殊効果の挿入などの動画編集開始点と終点の選択用とし、双方同時に再生、片方のみ再生、一時停止などを行うことができるので、直感的に編集操作ができるようになる。
【００５０】
このとき、複数画面で動画を管理できるので、終点選択用動画４０２を決定してから始点選択用動画４０１を決定することも容易になり利用性がはるかに向上する。また、図４に例示する２画面動画において始点選択用動画４０１と終点選択用動画４０２とを選択する場合も、どちらかの動画が始点用であるか、終点用であるかを特定せず、それぞれを再生してシーンを選択した結果、時間がはやい方を始点とし、遅い方を終点とすることで、両者に挟まれた中間動画を編集対象動画とすることができるなど、利便性を向上させることができる。
【００５１】
次に、図５は、複数の動画に対する編集操作の画面レイアウトを示す図である。図５では、ディスプレイに、編集元動画を表示する画像表示部５０１と編集後の出力対象動画プレビューを表示する画像表示部５０２とが表示され、編集効果アイテム群である動画編集リスト５０３がアイコンなどで視覚的に表示されている。
【００５２】
そして、操作キー５０４が画像表示部（編集元動画）５０１の再生制御を主に行うキーとして割り当てられ、操作キー５０５が動画編集リスト５０３の選択操作を行うキーとして割り当て、操作キー５０６が画像表示部（編集後の出力対象動画プレビュー）５０２での再生制御を主に行うキーとして割り当てられている。
【００５３】
これによれば、画像表示部（編集元動画）５０１に対してキー５０４で編集開始点などを選択し、キー５０５で編集アイテムを選択すると、プレビュー結果が画像表示部（編集後の出力対象動画プレビュー）５０２に表示されるので、キー５０６によって出力対象動がプレビューの編集操作を行うことができる。
【００５４】
換言すれば、編集前の元動画像と編集後のプレビュー動画像を同時に再生、片方ずつ再生などを行うことができるので、編集に対する効果を容易に確認、比較することが可能になる。
【００５５】
次に、図６は、複数の画像（動画像、静止画像、カメラ画像）に対する編集操作の画面レイアウトを示す図である。図６では、ディスプレイに、映像１（動画像、静止画像、カメラ画像）を表示する画像表示部６０１と、映像２（動画像、静止画像、カメラ画像）を表示する画像表示部６０２と、出力画像プレビューの画像表示部６０３と、編集効果アイテム群６０４とが表示されている。
【００５６】
編集効果アイテム群６０４には、αブレンディング、スロー・早送り記録、スライドイン・アウト、フェードイン・アウト、アフレコ、テロップ、結合・切り出し、画面合成（クロマキー）、フレーム合成、３Ｄ特殊効果などが個別に選択操作可能に示されている。
【００５７】
そして、操作キー６０５が画像表示部６０１での再生制御を主に行うキーとして割り当てられ、操作キー６０６が画像表示部６０２での再生制御を主に行うキーとして割り当てられ、操作キー６０７が出力画像プレビュー表示部６０３での再生制御を主に行うキーとして割り当てられ、操作キー６０８が編集効果アイテム群６０４での選択操作を行うキーとして割り当てられている。
【００５８】
動画の例で言えば、画像表示部６０１での動画と画像表示部６０２での動画とを編集アイテム群６０４によって編集を行い、出力画像プレビュー表示部６０３に、出力画面レイアウト６０９や出力画面レイアウト６１０に示す編集済み動画として出力することができる。
【００５９】
なお、画像表示部６０１と画像表示部６０２での動画は別々の動画である必要はない。同一動画であるときは、時間差再生を行い、両者を画面合成すればよい。また、時間差再生せずに同時のタイミングの映像を特殊効果により合成してもよい。以上は動画の場合であるが、画像表示部６０１と画像表示部６０２の映像が、静止画やカメラのプレビュー画さらにはＴＶ電話などの対局映像などの場合でも同様の操作によって編集することができる。そして、以下に示す（１）〜（７）の処理も行うことができる。
【００６０】
（１）動画像や静止画像を同時に表示し、それぞれの画像を同時に操作することができるので、動画像に対し静止画をフレーム表示させたり、動画像から静止画にスライドで切り替わるシーンを作成したり、静止画と動画とをアルファブレンドで透かしながら結合したりするリアルタイムな編集が可能になる。
【００６１】
（２）複数の動画像を同時に表示し、それぞれの動画像を同時に操作することができるので、動画像に対し動画像を小画面フレームで表示したり、動画像から次の動画にスライドインで切り替わるシーンを作成したり、動画と動画とをアルファブレンドで透かしながら結合したりするリアルタイムな編集が可能になる。
【００６２】
（３）複数の動画像とカメラによるプレビューとを同時に表示し、それぞれを同時に操作することができるので、カメラ動画プレビューに対して、静止画のフレームを挿入したり、以前撮影した動画像を小画面表示させたり、以前撮影した動画に対してコメントを動画小画面で挿入したり、アルファブレンドで透過表示したりして、好みに合わせた撮影を行うことができるようになる。
【００６３】
（４）複数の動画像を表示して好みの効果とシナリオを選択することができるので、自動的に編集動作が行えるようになる。
【００６４】
（５）複数の動画像を表示して再生しながらキーの長押し操作やスクロール操作など所定のキー操作を行うことで、リアルタイムに特殊効果をかけて編集し、記録することが可能になる。
【００６５】
（６）その場では編集せずに編集方法や編集位置・時間などの編集設定情報をテキストなどの形式で外部メモリ装置に保存して置き、メール送信するなどで外部の専用機器に出力することで、その外部の専用機器で編集を行うことようにすることも可能になる。
【００６６】
（７）当該携帯情報端末装置の使用時では、編集状態をメモリ１０５に保持し、当該携帯情報端末装置を利用していない待ち受け時や電波の届かない所に居るなどのアイドル時に自動的に編集作業をバッチ処理することで、ＣＰＵ１０４のリソースを有効に活用する措置も採ることができるようになる。また、電源低下時には編集状態を保持しておき他のタスクを優先させ、電源状態を有効に活用する措置も採ることができるようになる。
【産業上の利用可能性】
【００６７】
本発明は、搭載する動画処理ＬＳＩの性能を最大限に活用して動画像の編集操作の利便性を向上させるのに有用である。
【図面の簡単な説明】
【００６８】
【図１】本発明の一実施の形態に係る携帯情報端末装置の構成を示すブロック図
【図２】複数の画像を携帯端末の画面に表示することにより編集操作の容易化を図る操作イメージを示す外観図
【図３】従来の動画編集操作方法を説明する図
【図４】本実施の形態による動画編集操作方法を説明する図
【図５】複数の動画に対する編集操作の画面レイアウトを示す図
【図６】複数の画像（動画像、静止画像、カメラ画像）に対する編集操作の画面レイアウトを示す図
【符号の説明】
【００６９】
１０１  携帯情報端末装置の動画処理ＬＳＩ
１０２  携帯情報端末装置のディスプレイ（表示部）
１０３  携帯情報端末装置のカメラ
１０４  携帯情報端末装置のＣＰＵ
１０５  携帯情報端末装置のメモリ
１０６  携帯情報端末装置の入力ファイル（ＦＩＬＥ１）
１０７  携帯情報端末装置の入力ファイル（ＦＩＬＥ２）
１０８  携帯情報端末装置の出力ファイル（ＦＩＬＥ３）
２０１  動画像、静止画像、カメラプレビュー画像の画像表示部
２０２  動画像、静止画像、カメラプレビュー画像の画像表示部
２０３  画像編集リスト一覧を表示する編集内容表示部
２０４  画像表示部２０１での再生制御に主に割り当てられるキー
２０５  画像表示部２０２での再生制御に主に割り当てられるキー
２０６  編集内容表示部での選択操作に用いられるキー
３０１  始点と終点を兼ねる画像表示部
３０２  編集効果メニュー
３０３  画像表示部３０１での再生制御に主に割り当てられるキー
４０１  始点選択用画像の画像表示部
４０２  終点選択用画像の画像表示部
４０３  動画編集リスト（編集効果アイテム群）
４０４  始点選択用動画の再生制御に主に割り当てられるキー
４０５  動画編集リストの選択に用いられるキー
４０６  終点選択用動画の再生制御に主に割り当てられるキー
５０１  編集元動画の画像表示部
５０２  出力対象動画プレビューの画像表示部
５０３  動画編集リスト
５０４  編集元動画の再生制御に主に割り当てられるキー
５０５  動画編集リストの選択に用いられるキー
５０６  出力対象動画プレビューの再生制御に主に割り当てられるキー
６０１  映像１（動画、静止画、カメラ画）の画像表示部
６０２  映像２（動画、静止画、カメラ画）の画像表示部
６０３  出力動画プレビューの画像表示部
６０４  編集効果アイテム群
６０５  映像１の再生制御に主に割り当てられるキー
６０６  映像２の再生制御に主に割り当てられるキー
６０７  出力動画プレビューの再生制御に主に割り当てられるキー
６０８  編集効果アイテム選択に主に割り当てられるキー
６０９  出力画面レイアウト（編集効果例１）
６１０  出力画面レイアウト（編集効果例２）
【図１】
2006140564.tif 000003
【図２】
2006140564.tif 000004
【図３】
2006140564.tif 000005
【図４】
2006140564.tif 000006
【図５】
2006140564.tif 000007
【図６】
2006140564.tif 000008